(57)【要約】【課題】従来の優先チャネル設定には、ＰＣを無線機の受信機にケーブル接続して行う必要があり、また、予め固定的に設定された優先チャネルをスキャニングしていたので、実際の着信状態に即した対応ができない場合を含む利便性に欠けるものであった。【解決手段】スキャニング受信機において、所定時間内又は所定回数のスキャニング・サイクル中に受信チャネル毎に着信があった回数や受信時間を計数し、これらの過去の受信履歴を参照して優先チャネルを自動的に設定する。【選択図】図２
2008141240.tif 000002
【特許請求の範囲】
【請求項１】
複数の受信チャネルを予め設定した順序で受信し着信の有無を検出するとともに、着信があるチャネルでは受信動作を行うスキャニング受信機において、所定時間内又は所定回数のスキャニング・サイクル中に受信チャネル毎に着信があった回数を計数する着信回数計数手段と、該着信回数計数の結果予め設定した回数以上着信のあった受信チャネルを優先チャネルとして設定する優先チャネル設定手段と、該優先チャネル設定手段によって設定した順序に従ってスキャニング受信を行うスキャニング受信制御手段と、を備えたことを特徴とする着信履歴参照型スキャニング受信機。
【請求項２】
複数の受信チャネルを予め設定した順序で受信し着信の有無を検出するとともに、着信があるチャネルでは受信動作を行うスキャニング受信機において、所定時間内又は所定回数のスキャニング・サイクル中に受信チャネル毎に着信があった時間を計数する着信時間計数手段と、該着信時間計数の結果予め設定した時間以上であった受信チャネルを優先チャネルとして設定する優先チャネル設定手段と、該優先チャネル設定手段によって設定した順序に従ってスキャニング受信を行うスキャニング受信制御手段と、を備えたことを特徴とする着信履歴参照型スキャニング受信機。
【請求項３】
前記優先チャネル設定手段によって設定される優先チャネルは、一つのスキャニング・サイクル中に複数回受信動作が行われ又はスキャン停止のモニタ時間を長く設定されることを特徴とする請求項１又は２記載の着信履歴参照型スキャニング受信機。
【請求項４】
複数の受信チャネルを予め設定した順序で受信し着信の有無を検出し、着信があるチャネルでは受信動作処理を行うスキャニング受信方法において、所定時間内又は所定回数のスキャニング・サイクル中に受信チャネル毎に着信があった回数又は時間を計数する着信頻度計数処理と、該着信頻度計数の結果予め設定した回数又は予め設定した時間以上着信のあった受信チャネルを優先チャネルとして設定する優先チャネル設定処理と、該優先チャネル設定処理によって設定した順序に従ってスキャニング受信を行うスキャニング受信処理と、を含むことを特徴とする着信履歴参照型スキャニング受信方法。
【請求項５】
前記優先チャネル設定処理によって設定される優先チャネルは、一つのスキャニング・サイクル中に複数回受信動作が行われ又はスキャン停止のモニタ時間を長く設定されることを特徴とする請求項４記載の着信履歴参照型スキャニング受信方法。
【発明の詳細な説明】
【技術分野】
【０００１】
本発明はスキャニング受信機及びスキャニング受信方法に関し、詳しくはスキャニング受信チャネルの優先順序等を着信履歴に対応して変更可能にしたスキャニング受信機及びスキャニング受信方法に関する。
【背景技術】
【０００２】
複数の無線通信チャネルが設定された通信システムにおいて、各無線通信チャネルを順次切り替えながら受信するスキャニング受信機能が利用されることが多い。スキャニング受信機能は、防災、警察、警備、運輸等に供する業務用無線通信システムに限らず、アマチュア無線やパーソナル無線等のレジャー用無線通信システムにおいても多用されている。
【０００３】
図６は、従来の無線通信機の基本的なスキャニング受信処理（ノーマルスキャン：Normal Scan）を示すフローチャートである。無線通信チャネルとしてＣｈ１乃至Ｃｈ４の四つの受信チャネルを備えたシステムを例にすれば、ノーマルスキャン処理は、図６に示すように、スキャンキーが操作されてスキャニング受信が指示されているときは（Ｓ１００）、スキャン処理を開始し（Ｓ１０１）、再びスキャニングキーのオン・オフを確認し、スキャニングスイッチが操作されていないとき（スイッチがオンのとき：Ｓ１０２  Ｎｏ）、Ｃｈ１乃至Ｃｈ４を順次スキャンして各チャネルへの着信の有無を確認する（Ｓ１０３乃至Ｓ１０６）。そして、スキャン中にいずれかのチャネルに着信があると、その受信チャネルでスキャンを停止し（Ｓ１０７）、着信が存在する間、受信動作を継続するとともに（Ｓ１０８  Ｙｅｓ）、着信がなくなり、一定時間以上の無着信状態を確認したときは（ディレイ時間経過を確認して：Ｓ１０９、Ｎｏ）上記Ｓ１０２に戻ってスキャンキー操作の有無を確認後（Ｓ１０２  Ｎｏ）、再びＳ１０３乃至Ｓ１０６においてＣｈ１乃至Ｃｈ４を順次スキャンする。また、上記Ｓ１０２において、スキャンキーが操作されて、通常受信の指示がなされている場合は（Ｓ１０２  Ｙｅｓ）、スキャニング受信処理を終了する（Ｓ１１０）。
【０００４】
なお、以上の説明では、Ｓ１０９から実線ルートを経てＳ１０２に至るルートを示したが、このフローのなかで、Ｓ１０３乃至Ｓ１０６のスキャン中にいずれかに着信があると、その受信チャネルでスキャンを停止し（Ｓ１０７）、着信が継続している間はスキャンを停止して受信を継続し（Ｓ１０８）、一定時間の無着信状態（Ｓ１０９）を経て、破線にて示すように、着信処理をしたチャネルの次のチャネル（Ｓ１０３乃至Ｓ１０６のいずれか）に戻るフローであってもよい。
【０００５】
また、スキャニング受信処理の方法として、図６に示したノーマルスキャンの他に、例えば図７に示すような優先スキャンと称される方法が知られている。これは、複数の受信チャネルのうち予め設定した特定のチャネルを優先的にスキャニング受信するもので、この例では、四つの受信チャネルＣｈ１乃至Ｃｈ４のうちＣｈ３を優先チャネルに設定したものである。即ち、図７において、Ｓ１１１乃至Ｓ１１３は上記図６と同じように、スキャンキーが操作されているときは（Ｓ１１１）、スキャン処理を開始し（Ｓ１１２）、スキャニングスイッチがオンのままのとき（Ｓ１０２  Ｎｏ）、Ｃｈ１乃至Ｃｈ４を順次スキャンして各チャネルへの着信の有無を確認するが（Ｓ１０３乃至Ｓ１０６）、優先チャネルであるＣｈ３は、他のチャネルを一つスキャニング受信する毎に繰り返しＣｈ３をスキャンする点が特徴である。そして、スキャン中にいずれかのチャネルに着信があると、その受信チャネルでスキャンを停止し（Ｓ１２０）、着信が存在する間、受信動作を継続するとともに（Ｓ１２１  Ｙｅｓ）、着信がなくなり、一定時間以上の無着信状態を確認したときは（ディレイ時間経過を確認して：Ｓ１２２、Ｎｏ）上記Ｓ１１３に戻ってスキャンキー操作の有無を確認後（Ｓ１１３  Ｎｏ）、再びＳ１１４乃至Ｓ１１９を順次スキャンする。また、上記Ｓ１１３において、スキャンキーが操作されて、通常受信の指示がなされている場合は（Ｓ１１３  Ｙｅｓ）、スキャニング受信処理を終了する（Ｓ１２３）。なお、この例においても、破線で示すルートのようにＳ１２２から、次の受信チャネルの受信処理に移行するものでもよいことは、図６の例と同様である。この処理によれば、優先チャネルとして設定したＣｈ３を、一回のスキャニング・サイクル中に他のチャネルより多くモニタ受信するので、着信のチャンスを見逃す確率が小さくなる。
【０００６】
また、優先チャネル設定及びスキャニング受信の他の例としては、例えば特許文献１に記載されたものがある。これは、例えば米国等においてサービスが行われているＰ．Ｓ．Ｂ（パブリック・サービス・ブロードキャスティング）のように、伝達すべき情報の発生に応じて、不定期に送信される多数の情報チャネルを優先チャネルとして設定しておき、優先チャネル選択スイッチを操作したとき、設定した優先チャネルのみをスキャニング受信するものである。
【０００７】
このように優先チャネルを設定して、図７または特許文献１に示されたような運用を行えば、注目したい特定の受信チャネルを頻繁にモニタ受信できるので、不定期に発生する着信信号を見逃すことなく受信する可能性が高くなる。
【特許文献１】特開昭５６−１６１７１５号公報
【発明の開示】
【発明が解決しようとする課題】
【０００８】
しかしながら、上述したような従来のスキャニング受信機あるいはスキャニング受信方法では、予め設定した優先チャネルのみが優先的にスキャニングされることになるので、例えば、比較的頻繁に着信が発生する可能性があるチャネルを優先チャネルに設定する際、どのチャネルがそれに該当するか判然としない場合は、かえって逆効果となることがあった。即ち、比較的頻繁に着信があることが分からず優先チャネルから除外した場合は、モニタ受信するチャンスが減少するから、着信を見逃す可能性が高くなってしまうことになる。特に、広い地域を広範囲に移動する場合等はこのような不具合が発生し易い。
【０００９】
また、従来の優先チャネル設定の方法としては、例えば図８に示すように、優先チャネル設定用のソフトウエアを備えたＰＣ（パーソナルコンピュータ）８１を無線機８２にケーブル８３等を介して接続し、ＰＣ８１の操作によって優先チャネルの書き込み設定を行うものであったので、極めて操作が不便であり、しかもこの設定のために無線機８２は、ＰＣとの接続用インターフェースが不可欠となり、構成が複雑になる可能性もあった。
【００１０】
本発明は、このような従来のスキャニング受信機あるいはスキャニング受信方法の問題点に鑑みてなされたものであって、過去のスキャニング受信において実際に着信信号が検出される状況に基づいて、必要なものを自動的に優先チャネルとして設定することを可能にした着信履歴参照型スキャニング受信機及びスキャニング受信方法を提供することを目的としている。
【課題を解決するための手段】
【００１１】
本発明では、上記目的を達成するために、請求項１記載の着信履歴参照型スキャニング受信機では、複数の受信チャネルを予め設定した順序で受信し着信の有無を検出するとともに、着信があるチャネルでは受信動作を行うスキャニング受信機において、所定時間内又は所定回数のスキャニング・サイクル中に受信チャネル毎に着信があった回数を計数する着信回数計数手段と、この着信回数計数の結果予め設定した回数以上着信のあった受信チャネルを優先チャネルとして設定する優先チャネル設定手段と、優先チャネル設定手段によって設定した順序に従ってスキャニング受信を行うスキャニング受信制御手段と、を備えたことを特徴としている。
【００１２】
請求項２記載の着信履歴参照型スキャニング受信機では、複数の受信チャネルを予め設定した順序で受信し着信の有無を検出するとともに、着信があるチャネルでは受信動作を行うスキャニング受信機において、所定時間内又は所定回数のスキャニング・サイクル中に受信チャネル毎に着信があった時間を計数する着信時間計数手段と、該着時間計数の結果予め設定した時間以上着信のあった受信チャネルを優先チャネルとして設定する優先チャネル設定手段と、該優先チャネル設定手段によって設定した順序に従ってスキャニング受信を行うスキャニング受信制御手段と、を備えたことを特徴としている。
請求項３記載の発明は、請求項１又は２記載の着信履歴参照型スキャニング受信機において、上記優先チャネル設定手段によって設定される優先チャネルは、一つのスキャニング・サイクル中に複数回受信動作が行われ又はスキャン停止のモニタ時間を長く設定されることを特徴としている。
【００１３】
請求項４記載の発明は着信履歴参照型スキャニング受信方法に関するものであって、複数の受信チャネルを予め設定した順序で受信し着信の有無を検出し、着信があるチャネルでは受信動作を行う処理を含むスキャニング受信方法において、所定時間内又は所定回数のスキャニング・サイクル中に受信チャネル毎に着信があった回数又は時間を計数する着信頻度計数処理と、該着信頻度計数の結果予め設定した回数又は予め設定した時間以上着信のあった受信チャネルを優先チャネルとして設定する優先チャネル設定処理と、該優先チャネル設定処理によって設定した順序に従ってスキャニング受信を行うスキャニング受信処理と、を含むことを特徴としている。
請求項５記載の発明では、請求項４記載の着信履歴参照型スキャニング受信方法において、上記優先チャネル設定処理によって設定される優先チャネルは、一つのスキャニング・サイクル中に複数回受信動作が行われ又はスキャン停止のモニタ時間を長く設定されることを特徴としている。
【発明の効果】
【００１４】
本発明は以上のように構成するので夫々以下のような効果が得られる。請求項１記載の着信履歴参照型スキャニング受信機では、優先チャネルを含めてスキャニング受信する機能を備えたスキャニング受信機において、所定時間内又は所定回数のスキャニング・サイクル中に受信チャネル毎に着信があった回数を計数し、この着信回数計数の結果が予め設定した回数以上着信のあった受信チャネルを優先チャネルとして設定するとともに、その設定順序に従ってスキャニング受信を行うように構成したので、予め設定した固定的なチャネルを優先チャネルとする場合と異なり、直前にスキャンした結果実際に着信のあるチャネルを優先的にスキャンすることが可能となる。しかも、これらの設定を自動的に行うこともできるので、従来のようにＰＣを必要とせず、運用上の利便性が極めて高いものとなる。
【００１５】
請求項２記載の着信履歴参照型スキャニング受信機では、優先チャネルを含めてスキャニング受信する機能を備えたスキャニング受信機において、所定時間内又は所定回数のスキャニング・サイクル中に受信チャネル毎に着信があった時間を計数し、着信時間計数の結果が予め設定した時間以上着信のあった受信チャネルを優先チャネルとして設定するとともに、優先チャネルとして設定した順序に従ってスキャニング受信を行うように構成したので、請求項１記載の発明と同様に、予め設定した固定的なチャネルを優先チャネルとする場合と異なり、直前にスキャンした結果実際に着信のあるチャネルを優先的にスキャンすることが可能となる。しかも、これらの設定を自動的に行うこともできるので、運用上の利便性が高いものとなる。
【００１６】
請求項３記載の発明は、請求項１又は２記載の着信履歴参照型スキャニング受信機において、設定した優先チャネルは、一つのスキャニング・サイクル中に複数回受信動作が行われるように又はスキャン停止のモニタ時間を長く設定されるので、他のチャネルに比較してより多く受信のチャンスが増え、優先スキャンの目的達成の可能性が高いものとなる。
【００１７】
請求項４及び請求項５記載の発明は着信履歴参照型スキャニング受信方法に関するもので、上述した請求項１乃至３をステップ処理としたので、それらの処理を実行するようにプログラムを作成すれば、ＣＰＵ等を搭載する電子機において本発明をソフトウエア的に実現することが可能となり、上述した請求項１乃至３記載の着信履歴参照機型スキャニング受信機と同様の効果を得ることができる。
【発明を実施するための最良の形態】
【００１８】
以下、本発明を図に示した実施形態例を用いて詳細に説明する。但し、この実施形態に記載される技術用語、構成要素、種類、組み合わせ、形状、その相対配置などは特定的な記載がない限り、この発明の範囲をそれのみに限定する主旨ではなく単なる説明例に過ぎない。
図１は本発明に係るスキャニング受信機能を備えた無線通信機の概要ブロック構成図である。図１において１は受信回路であって、受信用アンテナ２から到来電波を電気信号に変換して供給を受ける。また、この受信回路１はＣＰＵ３により種々の制御を受けるが、制御の一つとしてスキャニング受信制御や優先チャネル設定も含まれる。更に、本発明の各処理ステップやスキャニング受信機としての機能を備えるために、ＣＰＵ３には、時間計数、着信回数計数、着信時間計数等の各種の計数を行うカウンタ４と、本発明を実施する上で必要なプログラム等を記憶した書き込み専用記憶装置ＲＯＭ５と、同様に本発明の実施に必要なデータや設定した優先チャネル情報を記憶する読み書き可能な記憶装置ＲＡＭ６と、スキャニング受信オン・オフ用スキャンキー（スキャニングキー）７と、その他の制御を行うための操作キー８とを備えている。
【００１９】
これらの構成によって、以下具体的に説明するように、複数の受信チャネルを予め設定した順序で受信し着信の有無を検出し、着信があるチャネルでは受信動作を行うスキャニング受信機を実現し、更に、所定時間内又は所定回数のスキャニング・サイクル中に受信チャネル毎に着信があった回数、時間、着信頻度を計数する手段や処理と、予め設定した回数以上着信のあった受信チャネルを優先チャネルとして設定する優先チャネル設定手段と、設定した順序に従ってスキャニング受信を行うスキャニング受信制御手段と、を実現するものである。なお、受信回路そのものをソフトウエアラジオとして構成する場合も含むものとする。
【００２０】
図２は本発明の履歴参照型スキャニング受信機及びスキャニング受信方法の一例を示すフローチャートであり、従来例において説明した場合と同じようにＣｈ１乃至Ｃｈ４の四つの受信チャネルを備えたシステムを例にする。この例に示す処理では、フローが開始されると先ずスキャンキー（図１）７が操作されてスキャニング受信が指示されているときは（Ｓ１）、スキャン処理を開始し（Ｓ２）、再度スキャンキー７のオン・オフを確認し、スキャンキー７が操作されていないとき（スイッチがオンのとき：Ｓ３  Ｎｏ）、Ｃｈ１乃至Ｃｈ４を順次スキャンして各チャネルへの着信の有無を確認する（Ｓ４乃至Ｓ６）。このとき、最初のスキャンで未だ優先チャネルの設定が行われていない場合は上述した図６の例と同じようにノーマルスキャンを行う。
【００２１】
ノーマルスキャン中にいずれかのチャネルに着信があると、その受信チャネルでスキャンを停止し（Ｓ７）、そのチャネルの着信検出回数が予め設定した数値を超えている否かを判断する（Ｓ８）。なお、このフローでは、Ｓ８において確認する着信回数は、前回のスキャニングにおいて計数し積算しておいた値となるが、後述するように受信回数カウント処理Ｓ１０をＳ８の前に置くか、若しくはＳ８の処理に含める場合は、現在のスキャン処理における着信回数となる。この判断の結果、予め設定した回数、この図の例では５回を越えている場合は（Ｓ８  Ｙｅｓ）、この受信チャネル（図の例ではＣｈ２）を優先チャネル（Priority Channel）として設定する（Ｓ９）。このように設定した後のフローは後述する図３の（Ａ）に続く。一方、上記Ｓ８において着信チャネルの回数が所定数に満たない場合は（Ｓ８  Ｎｏ）、受信回数カウントを行った上で（Ｓ１０）着信信号が継続する間は受信を継続する（Ｓ１１  Ｙｅｓ）。なお、この受信回数カウント処理Ｓ１０を上記Ｓ８の前、若しくはＳ８の内部で行ってもよいことは上述した通りである。Ｓ１１において着信がなくなり（Ｓ１１  Ｎｏ）、一定時間以上の無着信状態を確認したときは（ディレイ時間経過を確認して：Ｓ１２  Ｎｏ）上記Ｓ３に戻ってスキャンキー７の操作の有無を確認後（Ｓ３  Ｎｏ）、再びＳ４乃至Ｓ６を順次スキャンする。また、上記Ｓ３において、スキャンキー７が操作されて、通常受信の指示がなされている場合は（Ｓ３  Ｙｅｓ）、スキャニング受信処理を終了する（Ｓ１３）。なお、以上のフローにおいて、Ｓ１２からＳ３に至る実線ルートに代えて、破線にて示すように、着信処理をしたチャネルの次のチャネル（Ｓ４乃至Ｓ６のいずれか）に戻るフローであってもよいことは従来例において説明した場合と同様である。
【００２２】
このようにして優先チャネルが設定されると、次は、例えば図３に示す優先チャネルを含むスキャニング受信を実行する。図３は本発明における優先スキャニング受信の一例を示すフローチャートである。ここでは、優先チャネルとして図２において例示したＣｈ２が設定された場合を示している。先ず、フローが開始されると先ずスキャンキー（図１）７が操作されてスキャニング受信が指示されているときは（Ｓ２０  Ｎｏ）、スキャン処理を開始し、Ｃｈ１乃至Ｃｈ４を順次スキャンして各チャネルへの着信の有無を確認するが、ここではＣｈ２が優先チャネルとして含むスキャニング受信を行われる。この例では、Ｓ２１乃至Ｓ２６に示すように、優先チャネル以外のチャネルＣｈ１、Ｃｈ３、Ｃｈ４をスキャンする間に、毎回優先チャネルＣｈ２を挟んで、Ｃｈ１→Ｃｈ２→Ｃｈ３→Ｃｈ２→Ｃｈ４→Ｃｈ２の順にスキャニング受信を行う。
【００２３】
このスキャニング受信中に、いずれかのチャネルに着信があると、その受信チャネルでスキャンを停止し（Ｓ２７）、そのチャネルの着信検出回数が予め設定した数値を超えている否かを判断する（Ｓ２８）。この判断の結果、予め設定した回数、この図の例では５回を越えている場合は（Ｓ２８  Ｙｅｓ）、この受信チャネルを優先チャネル（Priority Channel）として設定する（Ｓ９）。この設定が、上述した図２においてされた場合は、このフローにおいて設定した優先チャネルと同一の扱いとなる。
【００２４】
一方、上記Ｓ８において着信チャネルの回数が所定数に満たない場合は（Ｓ２８  Ｎｏ）、受信回数カウントを行った上で（Ｓ３０）着信信号が継続する間は受信を継続する（Ｓ３１  Ｙｅｓ）。なお、この受信回数カウント処理Ｓ３０を上記Ｓ２８の前、若しくはＳ２８の内部で行ってもよいことは、図２と同様である。Ｓ３１において着信がなくなり（Ｓ３１  Ｎｏ）、一定時間以上の無着信状態を確認したときは（ディレイ時間経過を確認して：Ｓ３２  Ｎｏ）上記Ｓ２０に戻ってスキャンキー７の操作の有無を確認後（Ｓ２０  Ｎｏ）、再びＳ２１乃至Ｓ２６を順次スキャンする。また、上記Ｓ２０において、スキャンキー７が操作されて、通常受信の指示がなされている場合は（Ｓ２０  Ｙｅｓ）、スキャニング受信処理を終了する（Ｓ３３）。なお、以上のフローにおいて、Ｓ３２からＳ２０に至る実線ルートに代えて、破線にて示すように、着信処理をしたチャネルの次のチャネル（Ｓ２１乃至Ｓ２６のいずれか）に戻るフローであってもよいことは図２と同様である。
【００２５】
また、優先チャネルの設定数は任意の数でよいが、一つにする場合は、最新の設定チャネルに入れ替えて、次の優先チャネルスのキャニング受信では、新たなチャネルをＣｈ２に入れ替えたスキャンを行う。もし、複数の優先チャネル設定を行う場合は、全ての優先チャネルを同列に扱って一スキャニング・サイクルにおいて出現する回数を同数とすればよいが、更に、夫々のチャネルの着信回数をカウントし、積算した回数が多いものについて優先順位を高くし、それらのスキャン回数をより多くする制御も有用であろう。
【００２６】
図４、図５は本発明の他の実施例を示すフローチャートである。この例では、着信履歴として、過去の着信時間を計数するものである。図４においても図２と同じように、Ｃｈ１乃至Ｃｈ４の四つの受信チャネルを備えたシステムを示している。この例に示す処理では、フローが開始されると先ずスキャンキー（図１）７が操作されてスキャニング受信が指示されているときは（Ｓ４０）、スキャン処理を開始し（Ｓ４１）、再度スキャンキー７のオン・オフを確認し、スキャンキー７が操作されていないとき（スイッチがオンのとき：Ｓ４２  Ｎｏ）、Ｃｈ１乃至Ｃｈ４を順次スキャンして各チャネルへの着信の有無を確認する（Ｓ４３乃至Ｓ４６）。このとき、最初のスキャンでは未だ優先チャネルの設定が行われていないので、上述した図２の例と同じようにノーマルスキャンを行う。
【００２７】
ノーマルスキャン中にいずれかのチャネルに着信があると、その受信チャネルでスキャンを停止し（Ｓ４７）、着信がある間受信を継続するとともに（Ｓ４８）、同時にそのチャネルの着信検出時間を計数する（Ｓ４９）。この計数の結果、蓄積時間が予め設定した数値を超えている否かを判断し（Ｓ５０）、越えている場合は（Ｓ５０  Ｙｅｓ）、そのチャネルを優先チャネルとする（Ｓ５１）が、越えていない場合はＳ５１に移行するか、若しくはＳ４９がディレイタイムを加味した処理の場合は、Ｓ４３乃至Ｓ４６に移行してスキャニング処理を再開する。この判断の結果、予め設定した受信時間を越えていると判断した場合は、この受信チャネル（図の例ではＣｈ２）を優先チャネル（Priority Channel）として設定し、その後のフローは後述する図５の（Ｂ）に続く。なお、上記Ｓ４８において信号の着信がなくなった場合は（Ｓ４８  Ｎｏ）、一定時間以上の無着信状態を確認したときは（ディレイ時間経過を確認して：Ｓ５２  Ｎｏ）上記Ｓ４２に戻ってスキャンキー７の操作の有無を確認後（Ｓ４２  Ｎｏ）、再びＳ４３乃至Ｓ４６を順次スキャンする。また、上記Ｓ４２において、スキャンキー７が操作されて、通常受信の指示がなされている場合は（Ｓ４２  Ｙｅｓ）、スキャニング受信処理を終了する（Ｓ５３）。
なお、以上のフローにおいて、Ｓ５２からＳ４３に至る実線ルートに代えて、破線にて示すように、着信処理をしたチャネルの次のチャネル（Ｓ４３乃至Ｓ４６のいずれか）に戻るフローであってもよいことは図２の例と同様である。
【００２８】
このようにして優先チャネルが設定されると、次は、例えば図５に示す優先チャネルを含むスキャニング受信を実行する。図５は本発明において優先チャネル設定が着信時間に基づく場合の、優先スキャニング受信の一例を示すフローチャートである。ここでは、優先チャネルとしてＣｈ２が設定された場合を示している。
フローが開始されると、先ずスキャンキー（図１）７の操作を確認し、スキャニング受信が指示されているときは（Ｓ６０  Ｎｏ）、スキャン処理を開始し、Ｃｈ１乃至Ｃｈ４を順次スキャンして各チャネルへの着信の有無を確認するが、ここではＣｈ２が優先チャネルとして含むスキャニング受信が行われ、上記図３において説明した例と同様に、優先チャネル以外のチャネルＣｈ１、Ｃｈ３、Ｃｈ４をスキャンする間に、毎回優先チャネルＣｈ２を挟んで、Ｃｈ１→Ｃｈ２→Ｃｈ３→Ｃｈ２→Ｃｈ４→Ｃｈ２の順にスキャニング受信を行う（Ｓ６１乃至Ｓ６６）。
【００２９】
このスキャニング受信中に、いずれかのチャネルに着信があると、その受信チャネルでスキャンを停止し（Ｓ６７）、着信がある間受信を継続するとともに（Ｓ６８）、同時にそのチャネルの着信検出時間を計数する（Ｓ６９）。この計数の結果、蓄積時間が予め設定した数値を超えているか否かを判断し（Ｓ７０）、越えている場合は（Ｓ７０  Ｙｅｓ）、そのチャネルを優先チャネル（Priority Channel）とする（Ｓ７１）が、越えていない場合はＳ７２のディレイタイム経過確認に移行するか、若しくはＳ６９がディレイタイムを加味した処理の場合は、Ｓ６１乃至Ｓ６６に移行してスキャニングニング処理を再開する。なお、上記図４のＳ５１において優先チャネルとして設定した後のフローは、この図のＳ７２に続くことになるが、優先チャネルが一つの場合は、最新に選択されたものを優先チャネルとして設定するが、複数の設定を許容する場合は、上述したように種々の設定方法がある。
【００３０】
以上説明したように本発明では、過去の受信履歴に基づいて優先チャネルを設定するように構成したので、そのとき時の状況に即した優先チャネル受信が可能であり、しかも、設定チャネルを自動的に行うことができるので、従来のようにパーソナルコンピュータとケーブルで接続する手間や設備が不要であり、利便性を著しく向上することができる。
なお、以上本発明のいくつかの実施例について説明したが、本発明はこれらの例に限定する必要はなく、種々の変形が可能である。先ず、本発明を適用する無線機としては図１に示したものの他、種々変形が可能であり、また受信回路のみならず送信機を備えたものでも良いことは云うまでもない。
【００３１】
また、優先チャネルを複数設定できるようにして、本発明に従って着信履歴を参照して設定した優先チャネルのみを編集したスキャニング情報を記憶するとともに、それを特許文献１に記載されているように呼出して優先チャネルのみをスキャニング受信してもよい。また、実施例では、一回のスキャニング・サイクル毎に優先チャネルを設定するように構成したが、処理が煩雑過ぎる場合や、頻繁に優先チャネルが変更されて不都合な場合は、予め設定した所定スキャニング・サイクルにおける着信回数や時間を参照するようにしてもよい。
【００３２】
また、複数の優先チャネルを設定し、更に、着信回数や着信時間が大きなチャネルに優先度を持たせる場合のスキャニング受信方法としては、他のチャネル受信との順番を考慮する他に、優先チャネルの一回における受信モニタ時間を、非優先チャネルのそれに比べて長く設定することも、優先的にモニタする効果が得られる。即ち、非優先チャネルのスキャン停止時間が、例えば１００ｍｓとすれば、優先チャネルにおいては３００ｍｓに設定し、更に、優先度を高めるには５００ｍｓのモニタ時間を設定すればよい。更に、このようにモニタ時間の増減と、スキャニング回数の増減の両者を組み合わせて優先チャネルのスキャニングを行うことも、バリエーションに富んだ運用を行う上で有用であろう。
【００３３】
また、本発明は以上説明した処理を、コンピュータが処理可能なプログラムとして構成すれば、必要なＣＰＵやメモリを搭載した電子機器にそれらのソフトウエアをインストールすることによって、本発明を実現することが可能である。特に近年は、デジタル処理するものが多くなり、その処理のためにＣＰＵやＤＳＰを備えることが多いので、ソフトウエアでの実施が容易であろう。
【００３４】
即ち、本発明をスキャニング受信方法として実現する場合は、例えば図１に示した構成図のうち少なくとも、受信回路１、アンテナ２、ＣＰＵ３、ＲＯＭ５、ＲＡＭ６を備え、ＲＯＭ５には、複数の受信チャネルを予め設定した順序で受信し着信の有無を検出し、着信があるチャネルでは受信動作処理を行うスキャニング受信を行うように構成するとともに、所定時間内又は所定回数のスキャニング・サイクル中に受信チャネル毎に着信があった回数又は時間を計数する着信頻度計数処理と、該着信頻度計数の結果予め設定した回数又は予め設定した時間以上着信のあった受信チャネルを優先チャネルとして設定する優先チャネル設定処理と、該優先チャネル設定処理によって設定した順序に従ってスキャニング受信を行うスキャニング受信処理と、を含むプログラムを記憶しておく。そして、優先チャネルとして設定されたリスト等をＲＡＭ６に適宜記憶しておき、プログラムとともに実行することにより、上述した各実施例と同様に、本発明を実施して同様の効果を得ることができる。また、各実施例において説明したように、優先チャネル設定処理によって設定される優先チャネルは、一つのスキャニング・サイクル中に複数回受信動作が行われ又はスキャン停止のモニタ時間を長く設定されるような処理を含むことも可能である。
【図面の簡単な説明】
【００３５】
【図１】本発明に係るスキャニング受信機を備えた無線通信機の概要ブロック図である。
【図２】本発明の履歴参照型スキャニング受信機及びスキャニング受信方法の一例を示すフローチャートである。
【図３】本発明の履歴参照型スキャニング受信機及びスキャニング受信方法の他の例を示すフローチャートである。
【図４】本発明の履歴参照型スキャニング受信機及びスキャニング受信方法の他の例を示すフローチャートである。
【図５】本発明の履歴参照型スキャニング受信機及びスキャニング受信方法の他の例を示すフローチャートである。
【図６】従来のスキャニング受信機の制御例を示すフローチャートである。
【図７】従来のスキャニング受信機の制御の他の例を示すフローチャートである。
【図８】従来のスキャニング受信機への優先チャネル設定の際の装置概要を示す概念図である。
【符号の説明】
【００３６】
１  受信回路、２  アンテナ、３  ＣＰＵ、４  カウンタ、５  ＲＯＭ、６  ＲＡＭ、７  スキャンキー、８  操作キー。
【図１】
2008141240.tif 000003
【図２】
2008141240.tif 000004
【図３】
2008141240.tif 000005
【図４】
2008141240.tif 000006
【図５】
2008141240.tif 000007
【図６】
2008141240.tif 000008
【図７】
2008141240.tif 000009
【図８】
2008141240.tif 000010